(57)【要約】【課題】プロファイルが作成されていない用紙に対して、既存のプロファイルを修正して、容易にプロファイルを作成する。【解決手段】印刷対象画像の画像データに対して色変換を行うプリンターコントローラーにおいて、本刷り用紙に対する印刷時の色変換に用いる既存のプロファイルのｗｔｐｔタグに記載されているメディアホワイト値を、代替用紙を測色して得られた測色値で置き換え、既存のプロファイル内のＬ＊ａ＊ｂ＊→ＣＭＹＫ変換テーブルのＵＣＲ／ＧＣＲレベルを修正して、代替用紙に対する印刷時の色変換に用いる新たなプロファイルを作成する。【選択図】図４
2013120946.tif 000002
【特許請求の範囲】
【請求項１】
第１の用紙に対する印刷時の色変換に用いる第１のプロファイルを記憶する記憶手段と、
前記第１の用紙とは異なる第２の用紙を測色して得られた測色値を取得する測色値取得手段と、
前記第１のプロファイルのメディアホワイト値を前記測色値取得手段により取得された測色値で置き換えて、前記第２の用紙に対する印刷時の色変換に用いる第２のプロファイルを作成するプロファイル調整手段と、
を備える情報処理装置。
【請求項２】
前記プロファイル調整手段は、前記第１のプロファイルのメディアホワイト値がプリンターの色域内であるか否かを判断し、前記第１のプロファイルのメディアホワイト値がプリンターの色域内である場合に、前記第１のプロファイルのメディアホワイト値を前記測色値取得手段により取得された測色値で置き換える、
請求項１に記載の情報処理装置。
【請求項３】
前記プロファイル調整手段は、前記測色値取得手段により取得された前記第２の用紙の明度が前記第１のプロファイルのメディアホワイト値が示す前記第１の用紙の明度以上であるか否かを判断し、前記第２の用紙の明度が前記第１の用紙の明度以上である場合に、前記第１のプロファイルのメディアホワイト値を前記測色値取得手段により取得された測色値で置き換える、
請求項１又は２に記載の情報処理装置。
【請求項４】
前記プロファイル調整手段は、前記測色値取得手段により取得された前記第２の用紙の彩度が前記第１のプロファイルのメディアホワイト値が示す前記第１の用紙の彩度以下であるか否かを判断し、前記第２の用紙の彩度が前記第１の用紙の彩度以下である場合に、前記第１のプロファイルのメディアホワイト値を前記測色値取得手段により取得された測色値で置き換える、
請求項１から３のいずれか一項に記載の情報処理装置。
【請求項５】
前記第２の用紙のざらつき度合いが前記第１の用紙のざらつき度合いよりも低いか否かを示すざらつき情報を取得するざらつき情報取得手段を備え、
前記プロファイル調整手段は、前記ざらつき情報取得手段により取得されたざらつき情報に基づいて、前記第２の用紙のざらつき度合いが前記第１の用紙のざらつき度合いよりも低いか否かを判断し、前記第２の用紙のざらつき度合いが前記第１の用紙のざらつき度合いよりも低い場合に、前記第１のプロファイルのＵＣＲ又はＧＣＲのレベルを修正する、
請求項１から４のいずれか一項に記載の情報処理装置。
【請求項６】
前記プロファイル調整手段は、前記第１のプロファイルにおけるシアン、マゼンタ及びイエローとブラックとの比率に基づいて、ＵＣＲ又はＧＣＲのレベルを上げることができるか否かを判断し、前記第１のプロファイルのＵＣＲ又はＧＣＲのレベルを上げることができる場合に、前記第１のプロファイルのＵＣＲ又はＧＣＲのレベルを修正する、
請求項１から５のいずれか一項に記載の情報処理装置。
【発明の詳細な説明】
【技術分野】
【０００１】
本発明は、情報処理装置に関する。
【背景技術】
【０００２】
一般に、印刷業界でカラー印刷を行う場合には、色合わせのターゲットとなる印刷機やモニター等の入力デバイスのデバイスプロファイル（ＣＭＹＫ→Ｌ＊ａ＊ｂ＊、ＲＧＢ→Ｌ＊ａ＊ｂ＊等）と、実際に出力を行うプリンター等の出力デバイスのデバイスプロファイル（Ｌ＊ａ＊ｂ＊→ＣＭＹＫ等）と、を用いて色変換を行っている。
【０００３】
各デバイスにおけるＣＭＹＫ値はデバイスに依存する値であるため、ＣＭＹＫ値を指定しても実際の色は一意に定まらないが、Ｌ＊ａ＊ｂ＊値等のデバイスに依存しない値を指定すれば実際の色が一意に決まる。そのため、印刷データのＣＭＹＫ値を一度Ｌ＊ａ＊ｂ＊値等に変換した後、Ｌ＊ａ＊ｂ＊値等を出力デバイスのＣＭＹＫ値に変換する。このデバイス依存色空間値とデバイス非依存色空間値の相互関係を記述したものがデバイスプロファイルである。
【０００４】
また、デバイスプロファイルは、印刷に用いる用紙種毎に用意されるのが一般的であるが、昨今、印刷ニーズの多様化に伴い、印刷会社で扱う用紙の種類が増えており、用紙種に対して予めプロファイルを作成することが困難になっている。
例えば、着色加工された用紙を使って印刷商品を仕上げる場合、「まだデザイン段階のため、本刷り用の着色用紙を節約したい」、又は、「急な追い刷り依頼があり、本刷り用に使用していた着色用紙がない」等の理由で、代替用紙を使用せざるを得ない場合がある。代替用紙のプロファイルを作成していない場合には、プロファイルの作成から作業を開始しなければならず、印刷に時間がかかってしまう。
【０００５】
このため、プロファイルと、プロファイル作成時に利用した用紙の表面処理状態、厚み、地色等の特徴データと、を関連付けて保存しておき、プロファイルが未登録の用紙を使用する際、使用する用紙の特徴データに基づいて、既存のプロファイルの中から特徴データが近似するプロファイルを抽出する画像処理方法が提案されている（特許文献１参照）。
【先行技術文献】
【特許文献】
【０００６】
【特許文献１】特開２００８−２９４５５４号公報
【発明の概要】
【発明が解決しようとする課題】
【０００７】
しかしながら、上記従来技術では、プロファイルが未登録の用紙に対して、既存のプロファイルをそのまま適用するのみであるため、適切な色変換結果が得られない場合があった。
また、上記従来技術では、既存のプロファイルに対して、プロファイル作成時に利用した用紙の特徴データが関連付けられていることが前提であるため、既存のプロファイルに対応する用紙の特徴データが不明な場合には、別の用紙に適用することはできなかった。
【０００８】
本発明は、上記の従来技術における問題に鑑みてなされたものであって、プロファイルが作成されていない用紙に対して、既存のプロファイルを修正して、容易にプロファイルを作成することを課題とする。
【課題を解決するための手段】
【０００９】
上記課題を解決するために、請求項１に記載の発明は、第１の用紙に対する印刷時の色変換に用いる第１のプロファイルを記憶する記憶手段と、前記第１の用紙とは異なる第２の用紙を測色して得られた測色値を取得する測色値取得手段と、前記第１のプロファイルのメディアホワイト値を前記測色値取得手段により取得された測色値で置き換えて、前記第２の用紙に対する印刷時の色変換に用いる第２のプロファイルを作成するプロファイル調整手段と、を備える情報処理装置である。
【００１０】
請求項２に記載の発明は、請求項１に記載の情報処理装置において、前記プロファイル調整手段は、前記第１のプロファイルのメディアホワイト値がプリンターの色域内であるか否かを判断し、前記第１のプロファイルのメディアホワイト値がプリンターの色域内である場合に、前記第１のプロファイルのメディアホワイト値を前記測色値取得手段により取得された測色値で置き換える。
【００１１】
請求項３に記載の発明は、請求項１又は２に記載の情報処理装置において、前記プロファイル調整手段は、前記測色値取得手段により取得された前記第２の用紙の明度が前記第１のプロファイルのメディアホワイト値が示す前記第１の用紙の明度以上であるか否かを判断し、前記第２の用紙の明度が前記第１の用紙の明度以上である場合に、前記第１のプロファイルのメディアホワイト値を前記測色値取得手段により取得された測色値で置き換える。
【００１２】
請求項４に記載の発明は、請求項１から３のいずれか一項に記載の情報処理装置において、前記プロファイル調整手段は、前記測色値取得手段により取得された前記第２の用紙の彩度が前記第１のプロファイルのメディアホワイト値が示す前記第１の用紙の彩度以下であるか否かを判断し、前記第２の用紙の彩度が前記第１の用紙の彩度以下である場合に、前記第１のプロファイルのメディアホワイト値を前記測色値取得手段により取得された測色値で置き換える。
【００１３】
請求項５に記載の発明は、請求項１から４のいずれか一項に記載の情報処理装置において、前記第２の用紙のざらつき度合いが前記第１の用紙のざらつき度合いよりも低いか否かを示すざらつき情報を取得するざらつき情報取得手段を備え、前記プロファイル調整手段は、前記ざらつき情報取得手段により取得されたざらつき情報に基づいて、前記第２の用紙のざらつき度合いが前記第１の用紙のざらつき度合いよりも低いか否かを判断し、前記第２の用紙のざらつき度合いが前記第１の用紙のざらつき度合いよりも低い場合に、前記第１のプロファイルのＵＣＲ又はＧＣＲのレベルを修正する。
【００１４】
請求項６に記載の発明は、請求項１から５のいずれか一項に記載の情報処理装置において、前記プロファイル調整手段は、前記第１のプロファイルにおけるシアン、マゼンタ及びイエローとブラックとの比率に基づいて、ＵＣＲ又はＧＣＲのレベルを上げることができるか否かを判断し、前記第１のプロファイルのＵＣＲ又はＧＣＲのレベルを上げることができる場合に、前記第１のプロファイルのＵＣＲ又はＧＣＲのレベルを修正する。
【発明の効果】
【００１５】
本発明によれば、プロファイルが作成されていない用紙に対して、既存のプロファイルを修正して、容易にプロファイルを作成することができる。
【図面の簡単な説明】
【００１６】
【図１】画像形成システムのシステム構成図である。
【図２】印刷指示端末の機能的構成を示すブロック図である。
【図３】プリンターコントローラーの機能的構成を示すブロック図である。
【図４】ＩＣＣプロファイル内の記述イメージを示す図である。
【図５】プリンターコントローラーにおいて実行される処理を示すフローチャートである。
【図６】プリンターコントローラーにおいて実行される処理を示すフローチャートである。
【図７】メディアホワイト調整判断処理を示すフローチャートである。
【図８】代替用紙の測色値を本刷り用紙の色相角に変更する処理を説明するための図である。
【図９】（ａ）は、色相角変更後のＬ＊ａ＊ｂ＊値がプリンターの色域内である場合の例である。（ｂ）は、色相角変更後のＬ＊ａ＊ｂ＊値がプリンターの色域内でない場合の例である。
【図１０】メディアホワイト値の調整による出力画像の変化を示す図である。
【図１１】ＵＣＲ／ＧＣＲ調整判断処理を示すフローチャートである。
【図１２】（ａ）は、ＰＣＳ値→ＣＭＹＫ変換テーブルのＣＭＹＫ値において、ＣＭＹの比率が大きくＫの比率が小さい場合の例である。（ｂ）は、ＰＣＳ値→ＣＭＹＫ変換テーブルのＣＭＹＫ値において、ＣＭＹの比率が小さくＫの比率が大きい場合の例である。
【図１３】各ＵＣＲ／ＧＣＲレベルに応じたＣＭＹからＫへの置き換えの程度の例を示す図である。
【図１４】ＵＣＲ／ＧＣＲレベルを変えてパッチを代替用紙に印刷したサンプルと、本刷り用紙との比較を示す図である。
【図１５】プロファイル調整を行う際に印刷指示端末に表示されるメイン画面の例である。
【図１６】印刷指示端末に表示される用紙情報表示画面の例である。
【発明を実施するための形態】
【００１７】
以下、本発明に係る情報処理装置の一実施の形態について説明する。
図１に、画像形成システム１のシステム構成を示す。図１に示すように、画像形成システム１は、印刷指示端末１０ａ，１０ｂ，１０ｃ、情報処理装置としてのプリンターコントローラー２０、プリンター３０を備える。印刷指示端末１０ａ，１０ｂ，１０ｃとプリンターコントローラー２０とは、通信ネットワークＮを介してデータ通信可能に接続されている。プリンターコントローラー２０とプリンター３０とは、ＵＳＢ（Universal Serial Bus）ケーブル等の専用インターフェース用バスを介して接続されている。なお、プリンターコントローラー２０がプリンター３０の中に含まれることとしてもよいし、プリンター３０がプリンターコントローラー２０の機能を有していてもよい。
【００１８】
印刷指示端末１０ａ，１０ｂ，１０ｃは、一般的なＰＣ（Personal Computer）から構成され、プリンターコントローラー２０に対して、印刷及びプロファイルの調整のための指示を行う。印刷指示端末１０ａ，１０ｂ，１０ｃには、印刷指示や印刷方法の指定を行うためのプリンタードライバープログラム１３１（図２参照）がインストールされており、印刷指示端末１０ａ，１０ｂ，１０ｃにおいて、色変換設定等を行うことが可能となっている。なお、印刷指示端末１０ａ，１０ｂ，１０ｃは、印刷制御プログラム、又は、指定ホットフォルダへのファイルのコピー等により、印刷指示を行うこととしてもよい。
【００１９】
プリンターコントローラー２０は、印刷指示端末１０ａ，１０ｂ，１０ｃから送信された印刷対象画像の画像データに対してラスタライズ処理（画像化）、色変換処理、スクリーニング処理等を行い、処理後の画像データをプリンター３０に送信する。
【００２０】
プリンター３０は、プリンターコントローラー２０から受信したビットマップ形式の画像データ（ＣＭＹＫデータ）に基づいて、シアン、マゼンタ、イエロー、ブラックの色材（トナー、インク等）により、用紙上に印刷を行う。例えば、プリンター３０は、電子写真方式の画像形成を行うものであり、感光体ドラム、感光体ドラムの帯電を行う帯電部、画像データに基づいて感光体ドラム表面を露光走査する露光部、感光体ドラムにトナーを付着させる現像部、感光体ドラム上に形成されたトナー像を印刷用紙に転写する転写部、印刷用紙上に形成されたトナー像を定着させる定着部等から構成される。なお、プリンター３０は、スキャナーやファックス機能を備えた複合機であってもよい。
【００２１】
図２に、印刷指示端末１０ａの機能的構成を示す。図２に示すように、印刷指示端末１０ａは、ＣＰＵ（Central Processing Unit）１１、ＲＡＭ（Random Access Memory）１２、記憶部１３、操作部１４、表示部１５、ネットワークＩＦ（InterFace）部１６等を備え、各部はバス１７により接続されている。
【００２２】
ＣＰＵ１１は、印刷指示端末１０ａの各部の処理動作を統括的に制御する。ＣＰＵ１１は、操作部１４から入力される操作信号又はネットワークＩＦ部１６により受信した指示信号に応じて、記憶部１３に格納されている各種処理プログラムを読み出してＲＡＭ１２に展開し、当該プログラムとの協働により各種処理を実行する。
【００２３】
ＲＡＭ１２は、ＣＰＵ１１により実行される各種処理プログラム及びこれらプログラムに係るデータを一時的に記憶するワークエリアを形成する。
【００２４】
記憶部１３は、不揮発性の半導体メモリーやハードディスク等の記憶装置からなり、各種処理プログラムや各種処理に関するデータ等を記憶する。記憶部１３には、プリンタードライバープログラム１３１等が記憶されている。
【００２５】
操作部１４は、カーソルキー、文字入力キー及び各種機能キー等を備えたキーボードと、マウス等のポインティングデバイスを備え、ユーザーによる操作入力を受け付ける。操作部１４は、キーボードに対するキー操作やマウス操作により入力された操作信号をＣＰＵ１１に出力する。
【００２６】
表示部１５は、ＬＣＤ（Liquid Crystal Display）を備え、ＣＰＵ１１からの指示に従って、各種操作画面や各種処理結果を表示する。
【００２７】
ネットワークＩＦ部１６は、通信ネットワークＮを介して外部装置との間でデータの送受信を行う。例えば、ネットワークＩＦ部１６は、プリンターコントローラー２０に印刷ジョブを送信する。
【００２８】
ＣＰＵ１１は、プリンタードライバープログラム１３１との協働により、プリンターコントローラー２０経由でプリンター３０に印刷指示を行う。具体的には、ＣＰＵ１１は、ユーザーによる操作部１４からの操作に基づいて、記憶部１３に記憶されている複数の画像データの中から印刷対象画像の画像データを選択するための選択指示を受け付ける。そして、ＣＰＵ１１は、選択された印刷対象画像の画像データを含む印刷ジョブをネットワークＩＦ部１６を介してプリンターコントローラー２０に送信する。
【００２９】
印刷指示端末１０ｂ，１０ｃの構成は、印刷指示端末１０ａと同様であるため、図２を援用し、説明を省略する。
【００３０】
図３に、プリンターコントローラー２０の機能的構成を示す。図３に示すように、プリンターコントローラー２０は、ＣＰＵ２１、ＲＡＭ２２、記憶部２３、操作部２４、表示部２５、ネットワークＩＦ部２６、プリンターＩＦ部２７、測色器ＩＦ部２８等を備え、各部はバス２９により接続されている。
【００３１】
ＣＰＵ２１は、プリンターコントローラー２０の各部の処理動作を統括的に制御する。ＣＰＵ２１は、操作部２４から入力される操作信号又はネットワークＩＦ部２６により受信した指示信号に応じて、記憶部２３に格納されている各種処理プログラムを読み出してＲＡＭ２２に展開し、当該プログラムとの協働により各種処理を実行する。
【００３２】
ＲＡＭ２２は、ＣＰＵ２１により実行される各種処理プログラム及びこれらプログラムに係るデータを一時的に記憶するワークエリアを形成する。
【００３３】
記憶部２３は、不揮発性の半導体メモリーやハードディスク等の記憶装置からなり、各種処理プログラムや各種処理に関するデータ等を記憶する。記憶部２３には、ＲＩＰ（Raster Image Processer）処理プログラム２３１、色変換処理プログラム２３２、プロファイル調整処理プログラム２３３、プロファイルＤＢ（DataBase）２３４等が記憶されている。
【００３４】
プロファイルＤＢ２３４には、色変換に用いるＩＣＣプロファイルが複数格納されている。ＩＣＣプロファイルには、デバイス依存の色空間（ＣＭＹＫ等）からデバイス非依存の色空間（Ｌ＊ａ＊ｂ＊等）への対応テーブルと、デバイス非依存の色空間からデバイス依存の色空間への対応テーブルのどちらか又は双方が記載されている。例えば、入力プロファイルでは、記載されているテーブルのうちデバイス依存の色空間（ＣＭＹＫ等）からデバイス非依存の色空間（Ｌ＊ａ＊ｂ＊等）への対応テーブルが適用され、出力プロファイルでは、記載されているテーブルのうちデバイス非依存の色空間（Ｌ＊ａ＊ｂ＊等）からデバイス依存の色空間（ＣＭＹＫ等）への対応テーブルが適用される。
【００３５】
具体的に、プロファイルＤＢ２３４には、第１の用紙（以下、本刷り用紙という。）に対する印刷時の色変換に用いる第１のプロファイル（ＩＣＣプロファイル）が格納されている。本刷り用紙は、印刷用に予め用意されていた用紙である。
【００３６】
異なる種類の用紙間の主な見た目の差は、「紙の地色」と「紙表面のざらつき感」により生じる。ＩＣＣプロファイルにおいて、これらに対応する要素が「メディアホワイト値（白地測色値）」、「ＵＣＲ（Under Color Removal）／ＧＣＲ（Gray Component Replacement）」である。
【００３７】
図４は、ＩＣＣプロファイル内の「メディアホワイト値」と「ＵＣＲ／ＧＣＲ」の記述イメージである。ＩＣＣプロファイルには、色変換情報を格納する全領域にタグ（一種のラベル）が付与されており、ｗｔｐｔ（white-point）タグもその一つである。
【００３８】
メディアホワイト値は、プロファイルを作成した用紙の地色（紙白）を測色した値であり、印刷画像全体の色味を左右する。メディアホワイト値は、ｗｔｐｔタグに記載されており、別の値への単純な置き換えが可能である。
【００３９】
ＵＣＲ／ＧＣＲは、ＰＣＳ（Profile Connection Space）値からＣＭＹＫ値への変換における「ＣＭＹ」と「Ｋ」のバランスを示す値であり、混色部分のざらつき感（粒状性）を左右する。ＰＣＳとは、ＣＩＥＬ＊ａ＊ｂ＊、ＸＹＺ等のデバイス非依存の測色座標系をいう。実際にどの座標系で記述されるかは、プロファイルによって異なる。
【００４０】
ＵＣＲ／ＧＣＲレベルは、ＣＭＹからＫへの置き換えの強度を示すものである。プロファイル内のＰＣＳ値（Ｌ＊ａ＊ｂ＊等）→ＣＭＹＫのＬＵＴ（Look Up Table）において、あるＰＣＳ値を表現するＣＭＹＫ値は一意に定まらない。ＣＭＹの掛け合わせによって表現できるグレー領域と、Ｋによって表現できるグレー領域が広く共通するからである。そこで、プロファイル作成時にＰＣＳ値→ＣＭＹＫのＬＵＴの決定に先立って、「ＣＭＹ」のグレーをどの程度「Ｋ」に置き換えるかを予め決めておく。ＵＣＲは主にシャドウ部に作用し、ＧＣＲは主に中間調に作用する。各ＵＣＲ／ＧＣＲレベルに対応するＣＭＹとＫの比率や、レベルの段階数は、特に限定されない。ＬＵＴ内のＣＭＹＫ値の細かな調整には多数のパッチの測定が必要であるが、ＣＭＹとＫの比率を変えるだけであれば、単純処理で実現することができる。
【００４１】
ＣＭＹからＫへの置き換えを大きくすることによって、総トナー量・総インク量の減少、グレーバランスの安定化等のメリットがあるが、反面、暗部の見た目に深みがなくなるというデメリットがあり、ＵＣＲ／ＧＣＲの強度設定はユーザーに任せられる。
また、ＵＣＲ／ＧＣＲレベルを上げる（Ｋの量を増やし、ＣＭＹの量を減らす）と、紙面の地に対して色材が占める割合（網点面積率）が減るため、ざらつき感が上昇する。
【００４２】
操作部２４は、カーソルキー、文字入力キー及び各種機能キー等を備えたキーボードと、マウス等のポインティングデバイスを備え、ユーザーによる操作入力を受け付ける。操作部２４は、キーボードに対するキー操作やマウス操作により入力された操作信号をＣＰＵ２１に出力する。
【００４３】
表示部２５は、ＬＣＤを備え、ＣＰＵ２１からの指示に従って、各種操作画面や各種処理結果を表示する。
【００４４】
ネットワークＩＦ部２６は、通信ネットワークＮを介して外部装置との間でデータの送受信を行う。例えば、ネットワークＩＦ部２６は、印刷指示端末１０ａ，１０ｂ，１０ｃから印刷対象画像の画像データ（印刷ジョブ）を受信する。
【００４５】
プリンターＩＦ部２７は、プリンター３０との間でデータの入出力を行う。プリンターＩＦ部２７は、プリンター３０に対してビットマップ形式の画像データを送信する。
【００４６】
測色器ＩＦ部２８は、測色器４０からＬ＊ａ＊ｂ＊、ＸＹＺ等のデバイス非依存の測色値を受信する。測色器ＩＦ部２８（測色値取得手段）は、測色器４０において本刷り用紙（第１の用紙）とは異なる第２の用紙（以下、代替用紙という。）を測色して得られた測色値を取得する。代替用紙は、今回印刷に使用する用紙である。また、測色器ＩＦ部２８は、必要に応じて測色器４０において本刷り用紙を測色して得られた測色値を取得する。
【００４７】
ＣＰＵ２１は、ＲＩＰ処理プログラム２３１との協働により、印刷指示端末１０ａ，１０ｂ，１０ｃから受信した印刷データを解析し、ビットマップ形式の画像データに展開して画像化する。
【００４８】
ＣＰＵ２１は、色変換処理プログラム２３２との協働により、印刷データ（ＰＤＦやＰＳ等）に対し、色変換処理を行う。ＣＰＵ２１は、記憶部２３のプロファイルＤＢ２３４から必要なプロファイルを取得し、デバイス依存色空間値とデバイス非依存色空間値との間で色変換を行う。
【００４９】
ＣＰＵ２１（プロファイル調整手段）は、プロファイル調整処理プログラム２３３との協働により、記憶部２３に記憶されている既存のプロファイル（第１のプロファイル）を、使用する用紙に合わせて修正し、新たなプロファイル（第２のプロファイル）を作成する。プロファイル調整処理の対象は、出力プロファイルとして使用されるプロファイルである。
【００５０】
具体的に、ＣＰＵ２１は、記憶部２３に記憶されている既存のプロファイル（本刷り用紙のプロファイル）のメディアホワイト値を、測色器ＩＦ部２８により取得された代替用紙の測色値で置き換えて、代替用紙に対する印刷時の色変換に用いる新たなプロファイル（代替用紙のプロファイル）を作成する。
【００５１】
ＣＰＵ２１は、代替用紙に色材を加えることによって、本刷り用紙の見た目に近似可能であるか否かを判断する。
ＣＰＵ２１は、既存のプロファイルのメディアホワイト値がプリンター３０の色域内であるか否かを判断する。ＣＰＵ２１は、既存のプロファイルのメディアホワイト値がプリンター３０の色域内である場合に、既存のプロファイルのメディアホワイト値を、代替用紙の測色値で置き換える。
【００５２】
ＣＰＵ２１は、測色器ＩＦ部２８により取得された代替用紙の明度が既存のプロファイルのメディアホワイト値が示す本刷り用紙の明度以上であるか否かを判断する。ＣＰＵ２１は、代替用紙の明度が本刷り用紙の明度以上である場合に、既存のプロファイルのメディアホワイト値を代替用紙の測色値で置き換える。
【００５３】
ＣＰＵ２１は、測色器ＩＦ部２８により取得された代替用紙の彩度が既存のプロファイルのメディアホワイト値が示す本刷り用紙の彩度以下であるか否かを判断する。ＣＰＵ２１は、代替用紙の彩度が本刷り用紙の彩度以下である場合に、既存のプロファイルのメディアホワイト値を代替用紙の測色値で置き換える。
【００５４】
ＣＰＵ２１は、更に、記憶部２３に記憶されている既存のプロファイルのＵＣＲ又はＧＣＲのレベルを修正する。本実施の形態では、ＵＣＲとＧＣＲを同じものとして扱うが、色変換におけるＵＣＲとＧＣＲを区別して設定可能な場合には、ＵＣＲとＧＣＲのいずれか一方について調整することとしてもよい。
【００５５】
ＣＰＵ２１（ざらつき情報取得手段）は、代替用紙のざらつき度合いが本刷り用紙のざらつき度合いよりも低いか否かを示すざらつき情報を、ネットワークＩＦ部２６を介して印刷指示端末１０ａ，１０ｂ，１０ｃから取得する。
ＣＰＵ２１は、取得されたざらつき情報に基づいて、代替用紙のざらつき度合いが本刷り用紙のざらつき度合いよりも低いか否かを判断する。ＣＰＵ２１は、代替用紙のざらつき度合いが本刷り用紙のざらつき度合いよりも低い場合に、既存のプロファイルのＵＣＲ又はＧＣＲのレベルを修正する。
【００５６】
ＣＰＵ２１は、既存のプロファイルの色変換テーブル（Ｌ＊ａ＊ｂ＊→ＣＭＹＫ変換テーブル等）におけるシアン、マゼンタ及びイエローとブラックとの比率に基づいて、ＵＣＲ又はＧＣＲのレベルを上げることができるか否かを判断する。例えば、ＣＭＹとＫとの比率を予め複数の区分に分け、各区分に応じたＵＣＲ／ＧＣＲレベルを設定しておく。ここで、ＣＭＹ値に対するＫ値の比率が大きいほど、ＵＣＲ／ＧＣＲレベルは高いものとする。ＣＰＵ２１は、既存のプロファイルのＬ＊ａ＊ｂ＊→ＣＭＹＫ変換テーブルのグレー部分において、ＣＭＹ値（例えば、ＣＭＹ値の最小値）とＫ値との比率がいずれのＵＣＲ／ＧＣＲレベルに対応するかを判断し、現状のＵＣＲ／ＧＣＲレベルより高いレベルに変更可能か否かを判断する。
ＣＰＵ２１は、既存のプロファイルのＵＣＲ又はＧＣＲのレベルを上げることができる場合に、既存のプロファイルのＵＣＲ又はＧＣＲのレベルを修正する。
【００５７】
ここで、出力プロファイルのメディアホワイト値の変更による色変換への影響について説明する。
色変換処理において、［Ｃ，Ｍ，Ｙ，Ｋ］＝［０，０，０，０］部の測色値には、用紙の白地の測色値が記述される。つまり、［Ｃ，Ｍ，Ｙ，Ｋ］＝［０，０，０，０］部の色変換は、ターゲット用紙色のシミュレートを意味する。プロファイルには、この測色値が固有のタグ（ｗｔｐｔタグ）に記述されており、［Ｃ，Ｍ，Ｙ，Ｋ］＝［０，０，０，０］部以外の色変換結果にも、紙面の色の差（ターゲットと出力用紙の色の差）が反映される。
【００５８】
したがって、プロファイル内のメディアホワイト値が置き換われば、印刷面全体の色味が変化することになる。通常、メディアホワイト値の置き換えは、印刷データ内のオブジェクトをクリアに見せる目的でターゲット用紙色を強制的に完全な白（無色）とみなして印刷する場合にのみ行われているが、本発明では、代替用紙から本刷り用紙への色近似のために、メディアホワイト値を修正する。
【００５９】
メディアホワイト値は、主に、プロファイルに記載されるＰＣＳ値の相対値−絶対値変換に用いられる。メディアホワイト値のその他の用途はプロファイル作成アプリケーションに依存する。プロファイルに記載されるＰＣＳ値は、用紙の地色の測色値に対する相対値である。この相対値は、用紙の白色を理想的な白（［Ｌ＊，ａ＊，ｂ＊］＝［１００，０，０］）としてＬＵＴ全体を正規化した後の値である。用紙の色を加味してターゲットの色再現を正確に行う場合には、正規化前の値が必要となるため、相対値から絶対値への変換が行われる。相対ＰＣＳ値から絶対ＰＣＳ値への変換式は、一般に、以下のように定義される。
Ｘａ＝（Ｘｍｗ／Ｘｉ）Ｘｒ      （１）
Ｙａ＝（Ｙｍｗ／Ｙｉ）Ｙｒ      （２）
Ｚａ＝（Ｚｍｗ／Ｚｉ）Ｚｒ      （３）
【００６０】
ここで、Ｘｍｗ，Ｙｍｗ，Ｚｍｗは、ｗｔｐｔタグで指定されるメディアホワイト値（媒体白色点）であり、［Ｘｍｗ，Ｙｍｗ，Ｚｍｗ］＝［０．８１３４，０．８４０２，０．７００１］とする。
Ｘｉ，Ｙｉ，Ｚｉは、ＰＣＳ測色光源（ＰＣＳ値を規定する際に用いられる測色光源。印刷業界では一般にＤ５０）の白色点であり、［Ｘｉ，Ｙｉ，Ｚｉ］＝［０．９６４２，１，０．８９２４９］である。
Ｘｒ，Ｙｒ，Ｚｒは、相対ＰＣＳ値（ここではＸＹＺ）であり、Ｘａ，Ｙａ，Ｚａは、絶対ＰＣＳ値（ここではＸＹＺ）である。
【００６１】
式（１）〜（３）に示すように、メディアホワイト値は、相対ＰＣＳ値から絶対ＰＣＳ値への変換の係数であるため、メディアホワイト値が変わることにより、ＬＵＴに記載されるＰＣＳ値に変化はないが、そこから変換される絶対ＰＣＳ値が変化する。
【００６２】
相対ＰＣＳ値→絶対ＰＣＳ値の変換は、ＸＹＺ空間上で行われる。本実施の形態では、表記の統一のためＰＣＳ値として基本的にＬ＊ａ＊ｂ＊値を用いているが、この変換の際にはＸＹＺへの変換が前段で行われることとする。
【００６３】
例えば、ＬＵＴに記載されている、ある相対Ｌ＊ａ＊ｂ＊値が［Ｌ＊，ａ＊，ｂ＊］＝［６０．９１，−０．５４，−０．４９］である場合、Ｌ＊ａ＊ｂ＊→ＸＹＺ変換（ＣＩＥ定義の変換式に準ずる。）により、相対ＸＹＺ値として［Ｘｒ，Ｙｒ，Ｚｒ］＝［０．２７９７，０．２９１５，０．２４３１］が得られる。
【００６４】
次に、上記式（１）〜（３）に従って、相対ＰＣＳ値から絶対ＰＣＳ値に変換する。
Ｘａ＝０．８１３４（Ｘｍｗ）／０．９６４２（Ｘｉ）＊０．２７９７（Ｘｒ）
＝０．２３５９
Ｙａ＝０．８４０２（Ｙｍｗ）／１．００００（Ｙｉ）＊０．２９１５（Ｙｒ）
＝０．２４４９
Ｚａ＝０．７００１（Ｚｍｗ）／０．８９２４９（Ｚｉ）＊０．２４３１（Ｚｒ）
＝０．１９０６
このようにして、絶対ＸＹＺ値として［Ｘａ，Ｙａ，Ｚａ］＝［０．２３５９，０．２４４９，０．１９０６］が得られる。
【００６５】
次に、ＸＹＺ→Ｌ＊ａ＊ｂ＊変換（ＣＩＥ定義の変換式に準ずる。）により、絶対Ｌ＊ａ＊ｂ＊値として［Ｌ＊，ａ＊，ｂ＊］＝［５６．５７，−０．１０２８，２．４０３２］が得られる。
【００６６】
次に、プリンターコントローラー２０における動作について説明する。
図５及び図６は、プリンターコントローラー２０において実行される処理を示すフローチャートである。この処理は、ＣＰＵ２１と、記憶部２３に記憶されているＲＩＰ処理プログラム２３１、色変換処理プログラム２３２、プロファイル調整処理プログラム２３３との協働によるソフトウェア処理によって実現される。ここでは、印刷指示端末１０ａから印刷ジョブを受信する場合を例にして説明する。
【００６７】
まず、ネットワークＩＦ部２６が、通信ネットワークＮを介して印刷指示端末１０ａから印刷ジョブを受信する（ステップＳ１）。印刷ジョブは、印刷データファイルと印刷設定情報とを含む。印刷データファイルは、ＰＤＦ、ＰＳ、ＴＩＦＦ等、ＲＩＰ処理可能なデータフォーマットである。また、印刷設定情報は、用紙トレイ、用紙サイズ、面付け情報、色変換パラメーター等、ＲＩＰ処理を決める情報である。
【００６８】
次に、ＣＰＵ２１は、印刷設定情報に基づいて、出力に使用される用紙トレイを特定し、更に、プリンター３０に対し、その用紙トレイに装填されている用紙の種類を問い合わせ、印刷用紙を特定する（ステップＳ２）。具体的には、ＣＰＵ２１は、プリンターＩＦ部２７を介して、特定された用紙トレイを示す情報をプリンター３０に送信し、特定された用紙トレイに対応する用紙の種類をプリンター３０から受信する。
【００６９】
次に、ＣＰＵ２１は、記憶部２３のプロファイルＤＢ２３４を検索し、ステップＳ２で特定された用紙に対応する出力プロファイルの有無を判断する（ステップＳ３）。
【００７０】
プロファイルＤＢ２３４に特定された用紙に対応する出力プロファイルがない場合には（ステップＳ３；ＮＯ）、ＣＰＵ２１は、ユーザーに、既存のプロファイルを調整して流用するか否かを選択させる（ステップＳ４）。具体的には、ＣＰＵ２１は、既存のプロファイルを調整して流用するか、プロファイルを新規に作成するか、を選択させるための選択画面を生成し、ネットワークＩＦ部２６を介して、印刷指示端末１０ａに送信する。
印刷指示端末１０ａでは、当該選択画面が表示部１５に表示され、ユーザーの操作部１４からの操作により、既存のプロファイルを調整して流用するか否かが選択される。
ＣＰＵ２１は、ネットワークＩＦ部２６を介して、印刷指示端末１０ａの操作部１４における操作に基づく選択情報を受信し、既存のプロファイルを調整して流用するか否かを判断する。
【００７１】
既存のプロファイルを調整して流用する場合には（ステップＳ４；ＹＥＳ）、ＣＰＵ２１は、メディアホワイト調整判断処理を行う（ステップＳ５）。
【００７２】
ここで、図７を参照して、メディアホワイト調整判断処理について説明する。
ＣＰＵ２１は、記憶部２３のプロファイルＤＢ２３４から本刷り用紙のプロファイルをＲＡＭ２２に読み出し、本刷り用紙のプロファイルのメディアホワイト値を参照して、本刷り用紙の測色値［Ｌ＊，ａ＊，ｂ＊］＝［Ｌ１，ａ１，ｂ１］を取得する（ステップＳ２１）。
【００７３】
次に、測色器ＩＦ部２８は、測色器４０において測定された代替用紙の測色値［Ｌ＊，ａ＊，ｂ＊］＝［Ｌ２，ａ２，ｂ２］を取得する（ステップＳ２２）。ＣＰＵ２１は、取得された代替用紙の測色値をＲＡＭ２２に格納する。
【００７４】
次に、ＣＰＵ２１は、本刷り用紙のプロファイルのｇａｍｔタグ及びＬＵＴに基づいて、本刷り用紙の測色値［Ｌ１，ａ１，ｂ１］がプリンター３０の色域内であるか否かを判断する（ステップＳ２３）。
【００７５】
本刷り用紙の測色値［Ｌ１，ａ１，ｂ１］がプリンター３０の色域内である場合には（ステップＳ２３；ＹＥＳ）、ＣＰＵ２１は、代替用紙の明度Ｌ２が本刷り用紙の明度Ｌ１以上であるか否かを判断する（ステップＳ２４）。
【００７６】
代替用紙の明度Ｌ２が本刷り用紙の明度Ｌ１以上である場合には（ステップＳ２４；ＹＥＳ）、ＣＰＵ２１は、代替用紙の彩度（ａ２2＋ｂ２2）1/2が本刷り用紙の彩度（ａ１2＋ｂ１2）1/2以下であるか否かを判断する（ステップＳ２５）。なお、ステップＳ２５において、処理を簡単にするためには、代替用紙の彩度と本刷り用紙の彩度の２乗同士を比較して、（ａ２2＋ｂ２2）が（ａ１2＋ｂ１2）以下であるか否かを判断すればよい。
【００７７】
代替用紙の彩度（ａ２2＋ｂ２2）1/2が本刷り用紙の彩度（ａ１2＋ｂ１2）1/2以下である場合には（ステップＳ２５；ＹＥＳ）、ＣＰＵ２１は、色相の変更による着色で、ステップＳ２４の明度の関係又はステップＳ２５の彩度の関係が逆転するか否かを判断する（ステップＳ２６）。具体的には、代替用紙の明度Ｌ２に色相着色による明度の変化量を加えてもなお、本刷り用紙の明度Ｌ１以上であるか否か、代替用紙の彩度の２乗（ａ２2＋ｂ２2）に色相着色による彩度の２乗の変化量を加えてもなお、本刷り用紙の彩度の２乗（ａ１2＋ｂ１2）以下であるか否か、を判断する。
【００７８】
ここで、色相着色による明度及び彩度の２乗の変化量について説明する。色相着色による明度の変化量、色相着色による彩度の２乗の変化量は、以下の工程（Ａ）〜（Ｃ）に従って求める。
【００７９】
（Ａ）図８に示すように、本刷り用紙の色相角θ（θ＝ｔａｎ-1（ｂ１／ａ１））に一致するよう、代替用紙の測色値［Ｌ２，ａ２，ｂ２］から単純に色相角のみを変化させたＬ＊ａ＊ｂ＊値を求める。すなわち、Ｌ＊の値（Ｌ２）はそのままで、ａ＊，ｂ＊の値だけが変化する。
【００８０】
（Ｂ）工程（Ａ）で求めたＬ＊ａ＊ｂ＊値がプリンター３０の色域内であるか否かを判断する。例えば、本刷り用紙のプロファイル内のＣＭＹＫ→Ｌ＊ａ＊ｂ＊変換テーブルの出力値（Ｌ＊ａ＊ｂ＊）をプロットした空間に、工程（Ａ）で求めたＬ＊ａ＊ｂ＊値が入るか（工程（Ａ）で求めたＬ＊ａ＊ｂ＊値を囲む変換後の４点が存在するか）を調べる。
【００８１】
図９（ａ）に示すように、ＣＭＹＫ→Ｌ＊ａ＊ｂ＊変換テーブルの出力値をプロットしたＬ＊ａ＊ｂ＊色空間において、工程（Ａ）で求めたＬ＊ａ＊ｂ＊値を囲む変換後の４点が存在する場合、すなわち、工程（Ａ）で求めたＬ＊ａ＊ｂ＊値がプリンター３０の色域内である場合には、工程（Ｃ）に進む。
図９（ｂ）に示すように、ＣＭＹＫ→Ｌ＊ａ＊ｂ＊変換テーブルの出力値をプロットしたＬ＊ａ＊ｂ＊色空間において、工程（Ａ）で求めたＬ＊ａ＊ｂ＊値を囲む変換後の４点が存在しない場合、すなわち、工程（Ａ）で求めたＬ＊ａ＊ｂ＊値がプリンター３０の色域内でない場合には、工程（Ａ）で求めたＬ＊ａ＊ｂ＊値について色域内への写像を行い、写像後のＬ＊ａ＊ｂ＊値で工程（Ａ）で求めたＬ＊ａ＊ｂ＊値を置き換えた上で工程（Ｃ）に進む。
【００８２】
（Ｃ）工程（Ｂ）で求めたＬ＊ａ＊ｂ＊値（［Ｌ３，ａ３，ｂ３］とする。）と、代替用紙の測色値［Ｌ２，ａ２，ｂ２］とを比較する。Ｌ３−Ｌ２によって求められる値が、色相着色による明度の変化量であり、（ａ３2＋ｂ３2）−（ａ２2＋ｂ２2）によって求められる値が、色相着色による彩度の２乗の変化量である。
【００８３】
したがって、色相の変更による着色で、ステップＳ２４の明度の関係が逆転するか否かは、
Ｌ１≦Ｌ２＋（色相着色による明度の変化量）
すなわち、
Ｌ１≦Ｌ３      （４）
を満たすか否かにより判断することができる。式（４）を満たす場合には、明度の関係が逆転しないと判断され、式（４）を満たさない場合には、明度の関係が逆転すると判断される。
【００８４】
また、色相の変更による着色で、ステップＳ２５の彩度の関係が逆転するか否かは、
ａ１２＋ｂ１２≧ａ２２＋ｂ２２＋（色相着色による彩度の２乗の変化量）
すなわち、
ａ１２＋ｂ１２≧ａ３２＋ｂ３２      （５）
を満たすか否かにより判断することができる。式（５）を満たす場合には、彩度の関係が逆転しないと判断され、式（５）を満たさない場合には、彩度の関係が逆転すると判断される。
【００８５】
ステップＳ２６において、色相の変更による着色で、ステップＳ２４の明度の関係もステップＳ２５の彩度の関係も逆転しない場合には（ステップＳ２６；ＮＯ）、ＣＰＵ２１は、メディアホワイト値の調整が可能であると判断する（ステップＳ２７）。
【００８６】
ステップＳ２３において、本刷り用紙の測色値［Ｌ１，ａ１，ｂ１］がプリンター３０の色域外である場合（ステップＳ２３；ＮＯ）、ステップＳ２４において、代替用紙の明度Ｌ２が本刷り用紙の明度Ｌ１未満である場合（ステップＳ２４；ＮＯ）、ステップＳ２５において、代替用紙の彩度（ａ２2＋ｂ２2）1/2が本刷り用紙の彩度（ａ１2＋ｂ１2）1/2より大きい場合（ステップＳ２５；ＮＯ）、ステップＳ２６において、色相の変更による着色で、ステップＳ２４の明度の関係又はステップＳ２５の彩度の関係が逆転する場合には（ステップＳ２６；ＹＥＳ）、ＣＰＵ２１は、メディアホワイト値の調整が不可能であると判断する（ステップＳ２８）。
ステップＳ２７又はステップＳ２８の後、メディアホワイト調整判断処理が終了する。
【００８７】
図５に戻り、メディアホワイト調整判断処理の結果、メディアホワイト値の調整が可能である場合には（ステップＳ６；ＹＥＳ）、ＣＰＵ２１は、本刷り用紙のプロファイルのメディアホワイト値を、代替用紙の測色値［Ｌ２，ａ２，ｂ２］で置き換えて、プロファイルを修正する（ステップＳ７）。
【００８８】
図１０に、メディアホワイト値の調整による出力画像の変化を示す。本刷り用紙のプロファイルのメディアホワイト値［９２．５２７０，−０．７０８７，２０．６６４０］を、代替用紙の測色値［９３．４５９８，０．６３５７，−０．６３４９］に置き換えることにより、調整の前後で出力画像全体の色味が変化する。調整後の出力プロファイルを用いて画像を代替用紙に印刷すると、本刷り用紙に近似した出力結果が得られる。
【００８９】
次に、図６に移行し、ＣＰＵ２１は、ユーザーに、本刷り用紙のプロファイルに対してＵＣＲ／ＧＣＲ調整を行うか否かを選択させる（ステップＳ８）。すなわち、ＣＰＵ２１は、用紙色の近似（メディアホワイト値の修正）に加えて、ざらつき感の近似を行うか否かをユーザーに判断させる。具体的には、ＣＰＵ２１は、本刷り用紙のプロファイルに対してＵＣＲ／ＧＣＲ調整を行うか否かを選択させるための選択画面を生成し、ネットワークＩＦ部２６を介して、印刷指示端末１０ａに送信する。
印刷指示端末１０ａでは、当該選択画面が表示部１５に表示され、ユーザーの操作部１４からの操作により、本刷り用紙のプロファイルに対してＵＣＲ／ＧＣＲ調整を行うか否かが選択される。
ＣＰＵ２１は、ネットワークＩＦ部２６を介して、印刷指示端末１０ａの操作部１４における操作に基づく選択情報を受信し、本刷り用紙のプロファイルに対してＵＣＲ／ＧＣＲ調整を行うか否かを判断する。
【００９０】
本刷り用紙のプロファイルに対してＵＣＲ／ＧＣＲ調整を行う場合には（ステップＳ８；ＹＥＳ）、ＣＰＵ２１は、ＵＣＲ／ＧＣＲ調整判断処理を行う（ステップＳ９）。
【００９１】
ここで、図１１を参照して、ＵＣＲ／ＧＣＲ調整判断処理について説明する。
ＣＰＵ２１は、ユーザーに、本刷り用紙のざらつき度合いに比べて代替用紙のざらつき度合いが低いか否かを目視で判断させる（ステップＳ３１）。具体的には、ＣＰＵ２１は、本刷り用紙のざらつき度合いに比べて代替用紙のざらつき度合いが低いか否かを選択させるための選択画面を生成し、ネットワークＩＦ部２６を介して、印刷指示端末１０ａに送信する。
印刷指示端末１０ａでは、当該選択画面が表示部１５に表示され、ユーザーの操作部１４からの操作により、本刷り用紙のざらつき度合いに比べて代替用紙のざらつき度合いが低いか否かが選択される。そして、ＣＰＵ１１により、選択結果に基づいて、ざらつき情報がネットワークＩＦ部１６を介してプリンターコントローラー２０に送信される。
ＣＰＵ２１は、ネットワークＩＦ部２６を介して、印刷指示端末１０ａからざらつき情報を取得し、ざらつき情報に基づいて、本刷り用紙のざらつき度合いに比べて代替用紙のざらつき度合いが低いか否かを判断する。
【００９２】
ざらつき感は、色材を加えることによって高まることはあっても、低くなることはないため、代替用紙のざらつき度合いの方が本刷り用紙のざらつき度合いよりも高い場合には、代替用紙を本刷り用紙に近似させることができない。
【００９３】
本刷り用紙のざらつき度合いに比べて代替用紙のざらつき度合いが低い場合には（ステップＳ３１；ＹＥＳ）、ＣＰＵ２１は、本刷り用紙のプロファイルのＵＣＲ／ＧＣＲレベルを判定する（ステップＳ３２）。具体的には、ＣＰＵ２１は、本刷り用紙のプロファイルのＰＣＳ値→ＣＭＹＫ変換テーブルのグレー部分を参照して、ＣＭＹとＫとの比率を算出し、算出した比率に基づいて、現状のＵＣＲ／ＧＣＲレベルを判定する。
【００９４】
次に、ＣＰＵ２１は、本刷り用紙のプロファイルのＰＣＳ値→ＣＭＹＫ変換テーブルのＣＭＹとＫとの比率に基づいて、ＵＣＲ／ＧＣＲ調整の余地があるか否か、すなわち、ＵＣＲ／ＧＣＲレベルを上げることができるか否かを判断する（ステップＳ３３）。
また、ＣＰＵ２１は、現状のＵＣＲ／ＧＣＲレベルから更にレベルを上げられる範囲（Ｋの構成量を増やせる範囲）を求める。
【００９５】
図１２（ａ）は、ＰＣＳ値→ＣＭＹＫ変換テーブルのＣＭＹＫ値において、ＣＭＹの比率が大きくＫの比率が小さい場合の例である。この場合には、ＵＣＲ／ＧＣＲ調整の余地があると考えられる。例えば、ＣＭＹ値それぞれから所定の値だけ減少させ、それに応じてＫ値を増加させることによって、ＵＣＲ／ＧＣＲレベルを上げることが可能である。
図１２（ｂ）は、ＰＣＳ値→ＣＭＹＫ変換テーブルのＣＭＹＫ値において、ＣＭＹの比率が小さくＫの比率が大きい場合の例である。この場合には、ＵＣＲ／ＧＣＲ調整の余地がないと考えられる。
【００９６】
ＵＣＲ／ＧＣＲ調整の余地がある場合（ステップＳ３３；ＹＥＳ）、すなわち、ＵＣＲ／ＧＣＲレベルを上げることができる場合には、ＣＰＵ２１は、ＵＣＲ／ＧＣＲレベルの調整が可能であると判断する（ステップＳ３４）。
【００９７】
ステップＳ３１において、代替用紙のざらつき度合いの方が本刷り用紙のざらつき度合いよりも高い場合（ステップＳ３１；ＮＯ）、又は、ステップＳ３３において、本刷り用紙のプロファイルにおいて、既にＫの構成量が多く、ＵＣＲ／ＧＣＲ調整の余地がない場合には（ステップＳ３３；ＮＯ）、ＣＰＵ２１は、ユーザーに、印刷を続行するか否かを判断させる（ステップＳ３５）。すなわち、色味の近似のみで妥協して印刷を続行するか、既存のプロファイルの流用を中断してプロファイルを新規作成するか、がユーザーの判断に基づいて決定される。
【００９８】
具体的には、ＣＰＵ２１は、印刷を続行するか否かを選択させるための選択画面を生成し、ネットワークＩＦ部２６を介して、印刷指示端末１０ａに送信する。
印刷指示端末１０ａでは、当該選択画面が表示部１５に表示され、ユーザーの操作部１４からの操作により、印刷を続行するか否かが選択される。
ＣＰＵ２１は、ネットワークＩＦ部２６を介して、印刷指示端末１０ａの操作部１４における操作に基づく選択情報を受信し、印刷を続行するか否かを判断する。
【００９９】
ステップＳ３５において、印刷を続行する場合には（ステップＳ３５；ＹＥＳ）、ＣＰＵ２１は、ＵＣＲ／ＧＣＲレベルの調整が不可能であると判断する（ステップＳ３６）。
ステップＳ３４又はステップＳ３６の後、ＵＣＲ／ＧＣＲ調整判断処理が終了する。
【０１００】
図６に戻り、ＵＣＲ／ＧＣＲ調整判断処理の結果、ＵＣＲ／ＧＣＲレベルの調整が可能である場合には（ステップＳ１０；ＹＥＳ）、ＣＰＵ２１は、ステップＳ７においてメディアホワイト値が修正されたプロファイルのＬＵＴに対して、調整可能な範囲でＵＣＲ／ＧＣＲレベルを変化させ、ＰＣＳ値→ＣＭＹＫの色変換テーブルを複数作成する。
次に、ＣＰＵ２１は、パッチを印刷するための入力ＣＭＹＫデータ（［Ｃ，Ｍ，Ｙ，Ｋ］＝［０，０，０，０］）に対して、入力プロファイルと、複数の異なるＵＣＲ／ＧＣＲレベルに修正された各出力プロファイル（ＰＣＳ値→ＣＭＹＫの色変換テーブル）と、を用い、レンダリングインテントを「Absolute Colorimetric」として、それぞれ色変換を行う。そして、ＣＰＵ２１は、複数の異なるＵＣＲ／ＧＣＲレベルに対応する複数のパッチを含む色変換後のＣＭＹＫデータを、プリンターＩＦ部２７を介してプリンター３０に送信し、ざらつき感を比較するためのサンプルを代替用紙に印刷させる（ステップＳ１１）。サンプルには、調整可能な範囲（現状のＵＣＲ／ＧＣＲレベルより上の一又は複数のレベル。現状のＵＣＲ／ＧＣＲレベルが含まれてもよい。）の各ＵＣＲ／ＧＣＲレベルに対応する色変換テーブルを用いて色変換されたパッチ（本刷り用紙色に近い平網のオブジェクト）や画像が含まれる。
【０１０１】
図１３に、ＵＣＲ／ＧＣＲにおいて、各ＵＣＲ／ＧＣＲレベルに応じたＣＭＹからＫへの置き換えの程度の例を示す。
なお、ＵＣＲ／ＧＣＲレベルの変更によって、どの程度ＣＭＹとＫのバランスを変更するかは、プロファイル作成アプリケーションに依存する。
【０１０２】
プリンター３０では、プリンターコントローラー２０から送信されたＣＭＹＫデータに基づいて、ざらつき感を比較するためのサンプルが代替用紙に印刷される。
【０１０３】
次に、ＣＰＵ２１は、ユーザーに、サンプル中に許容可能なものがあるか否かを目視で判断させる（ステップＳ１２）。
図１４は、ＵＣＲ／ＧＣＲレベルを変えて複数のパッチを代替用紙に印刷したサンプルと、本刷り用紙との比較を示す図である。各レベルに対応するパッチのうち、本刷り用紙のざらつき感と近似するものがあるか否かが判断される。
【０１０４】
具体的には、ＣＰＵ２１は、サンプル中に許容可能なものがあるか否かを選択させるための選択画面を生成し、ネットワークＩＦ部２６を介して、印刷指示端末１０ａに送信する。
印刷指示端末１０ａでは、当該選択画面が表示部１５に表示され、ユーザーの操作部１４からの操作により、サンプル中に許容可能なものがあるか否かが選択される。
ＣＰＵ２１は、ネットワークＩＦ部２６を介して、印刷指示端末１０ａの操作部１４における操作に基づく選択情報を受信し、サンプル中に許容可能なものがあるか否かを判断する。
【０１０５】
サンプル中に許容可能なものがある場合には（ステップＳ１２；ＹＥＳ）、ＣＰＵ２１は、ユーザーに、いずれのＵＣＲ／ＧＣＲレベルが最も本刷り用紙のざらつき感に近似しているかを目視で選択させる（ステップＳ１３）。
【０１０６】
具体的には、ＣＰＵ２１は、最も本刷り用紙のざらつき感に近似しているＵＣＲ／ＧＣＲレベルを選択させるための選択画面を生成し、ネットワークＩＦ部２６を介して、印刷指示端末１０ａに送信する。
印刷指示端末１０ａでは、当該選択画面が表示部１５に表示され、ユーザーの操作部１４からの操作により、最も本刷り用紙のざらつき感に近似しているＵＣＲ／ＧＣＲレベルが選択される。
ＣＰＵ２１は、ネットワークＩＦ部２６を介して、印刷指示端末１０ａの操作部１４における操作に基づく選択情報を受信し、最も本刷り用紙のざらつき感に近似しているＵＣＲ／ＧＣＲレベルを判断する。
【０１０７】
次に、ＣＰＵ２１は、選択されたＵＣＲ／ＧＣＲレベルに対応する色変換テーブル（ＰＣＳ値→ＣＭＹＫ）で、本刷り用紙のプロファイルの色変換テーブルを修正し（ステップＳ１４）、修正されたプロファイルに差し替える（ステップＳ１５）。ＣＰＵ２１は、修正されたプロファイルを記憶部２３のプロファイルＤＢ２３４に格納する。この際、修正後のプロファイルで修正前のプロファイルを上書きして保存してもよいし、修正後のプロファイルを修正前のプロファイルとは別に保存してもよい。
【０１０８】
ステップＳ８において、本刷り用紙のプロファイルに対してＵＣＲ／ＧＣＲ調整を行わない場合（本刷り用紙と代替用紙の差が色味だけである場合等、ざらつき感の近似が不要となった場合）（ステップＳ８；ＮＯ）、又は、ステップＳ１０において、ＵＣＲ／ＧＣＲ調整判断処理の結果、ＵＣＲ／ＧＣＲレベルの調整が不可能である場合には（ステップＳ１０；ＮＯ）、ＣＰＵ２１は、メディアホワイト値のみを修正したプロファイルに差し替える（ステップＳ１５）。
【０１０９】
次に、ＣＰＵ２１は、入力プロファイルと、ステップＳ１５で差し替えられた出力プロファイルと、を適用して、印刷対象画像の画像データに対して色変換を行い、プリンターＩＦ部２７を介して、色変換後のＣＭＹＫデータをプリンター３０に送信する（ステップＳ１６）。
プリンター３０では、プリンターコントローラー２０から送信された色変換後のＣＭＹＫデータに基づいて、印刷対象画像が代替用紙に印刷される。
【０１１０】
ステップＳ３において、プロファイルＤＢ２３４にステップＳ２で特定された用紙に対応する出力プロファイルがある場合には（ステップＳ３；ＹＥＳ）、ＣＰＵ２１は、入力プロファイルと、特定された用紙に対応する出力プロファイルと、を適用して、印刷対象画像の画像データに対して色変換を行い、プリンターＩＦ部２７を介して、色変換後のＣＭＹＫデータをプリンター３０に送信する（ステップＳ１６）。
【０１１１】
ステップＳ４において、既存のプロファイルを調整して流用しない場合（ステップＳ４；ＮＯ）、ステップＳ６において、メディアホワイト調整判断処理の結果、メディアホワイト値の調整が不可能である場合（ステップＳ６；ＮＯ）、ステップＳ１２において、サンプル中に許容可能なものがない場合（ステップＳ１２；ＮＯ）、ステップＳ３５において、印刷を続行しない場合には（ステップＳ３５；ＮＯ）、ＣＰＵ２１は、印刷を中断する（ステップＳ１７）。
ステップＳ１６又はステップＳ１７の後、プリンターコントローラー２０において実行される処理が終了する。
【０１１２】
図１５は、プロファイル調整を行う際に印刷指示端末１０ａの表示部１５に表示されるメイン画面１５１である。メイン画面１５１には、メディアホワイト値の適用ボタン１５２と、ＵＣＲ／ＧＣＲレベルを調整するためのプルダウンメニュー１５３と、が含まれる。ユーザーが操作部１４を操作して、適用ボタン１５２を押下すると、調整元のプロファイルのホワイトポイント（メディアホワイト値）が、使用する用紙の測色値で置き換えられる。ユーザーが操作部１４を操作して、プルダウンメニュー１５３に表示されている調整可能な範囲のＵＣＲ／ＧＣＲレベルの中からいずれかのＵＣＲ／ＧＣＲレベルを選択すると、調整元のプロファイルの色変換テーブルにおけるＵＣＲ／ＧＣＲレベルが、選択されたＵＣＲ／ＧＣＲレベルに変更される。
【０１１３】
以上説明したように、本実施の形態におけるプリンターコントローラー２０によれば、既存のプロファイルのメディアホワイト値を修正し、必要に応じて、更に、ＵＣＲ／ＧＣＲレベルを修正して、新たなプロファイルを作成するので、プロファイルが作成されていない用紙に対して、既存のプロファイルを修正して、容易にプロファイルを作成することができる。
【０１１４】
メディアホワイト値、ＵＣＲ／ＧＣＲは、プロファイルの作成後も修正が比較的容易であり、また、修正値の決定に必要な作業もわずかである。既存のプロファイルに対して用紙種の差（用紙の地色、ざらつき感）を加味した上で、これらのパラメーターを修正することで、他の用紙に対するプロファイルを精度良く簡単に作成することが可能となる。
【０１１５】
また、本刷り用紙のプロファイルのメディアホワイト値がプリンター３０の色域内でない場合には、プロファイルを修正しても、代替用紙を用いた印刷において、本刷り用紙の印刷結果に近付けることは困難である。そこで、本刷り用紙のプロファイルのメディアホワイト値がプリンター３０の色域内である場合にのみ、本刷り用紙のプロファイルのメディアホワイト値を、代替用紙の測色値で置き換える。
【０１１６】
また、代替用紙の明度が本刷り用紙のプロファイルのメディアホワイト値が示す本刷り用紙の明度未満である場合には、代替用紙を用いた印刷において、本刷り用紙の印刷結果に近付けることは困難である。そこで、代替用紙の明度が本刷り用紙の明度以上である場合にのみ、本刷り用紙のプロファイルのメディアホワイト値を代替用紙の測色値で置き換える。
【０１１７】
また、代替用紙の彩度が本刷り用紙のプロファイルのメディアホワイト値が示す本刷り用紙の彩度より大きい場合には、代替用紙を用いた印刷において、本刷り用紙の印刷結果に近付けることは困難である。そこで、代替用紙の彩度が本刷り用紙の彩度以下である場合にのみ、本刷り用紙のプロファイルのメディアホワイト値を代替用紙の測色値で置き換える。
【０１１８】
また、代替用紙のざらつき度合いが本刷り用紙のざらつき度合いよりも高い場合には、代替用紙を用いた印刷において、本刷り用紙の印刷結果に近付けることは困難である。そこで、代替用紙のざらつき度合いが本刷り用紙のざらつき度合いよりも低い場合にのみ、本刷り用紙のプロファイルのＵＣＲ又はＧＣＲのレベルを修正する。
【０１１９】
また、本刷り用紙のプロファイルのＵＣＲ／ＧＣＲレベルを上げることができない場合には、代替用紙を用いた印刷において、本刷り用紙の印刷結果に近付けることは困難である。そこで、本刷り用紙のプロファイルのＵＣＲ／ＧＣＲレベルを上げることができる場合にのみ、本刷り用紙のプロファイルのＵＣＲ／ＧＣＲレベルを修正する。
【０１２０】
なお、上記実施の形態における記述は、本発明に係る情報処理装置の例であり、これに限定されるものではない。装置を構成する各部の細部構成及び細部動作に関しても本発明の趣旨を逸脱することのない範囲で適宜変更可能である。
【０１２１】
例えば、上記実施の形態では、本発明に係る情報処理装置がプリンターコントローラー２０の一部として組み込まれており、印刷を行う際に適合するプロファイルがない場合に既存のプロファイルの調整を行う例について説明したが、印刷の実行とは別のタイミングでプロファイルの調整処理が行われてもよい。
【０１２２】
また、上記実施の形態では、メディアホワイト値を調整した後に、ＵＣＲ／ＧＣＲレベルを調整する場合について説明した。これは、メディアホワイト値を調整せずに、代替用紙の紙白に色材が一切加えられない場合には、白の部分は白のまま調整することができず、ＵＣＲ／ＧＣＲレベルの調整の影響が及ばないからである。しかし、本刷り用紙を使用する場合に白地着色が発生していれば、メディアホワイト値を調整しなくても、代替用紙の白地に同様の着色が発生する。この場合においては、メディアホワイト値を調整するか否かによらず、ＵＣＲ／ＧＣＲレベルの調整が有効に機能し得る。本刷り用紙使用時に白地着色が発生する例としては、ターゲット印刷物の用紙色が、本刷り用紙色よりも濃く、色のついた本刷り用紙に更に着色する場合が挙げられる。
【０１２３】
また、ユーザーが印刷指示端末１０ａ，１０ｂ，１０ｃにおいて用紙を選択する際（印刷ジョブを送信する前）に、印刷指示端末１０ａ，１０ｂ，１０ｃがプリンターコントローラー２０からプリンター３０の用紙情報を取得し、用紙情報を表示部１５に表示することとしてもよい。
図１６に、印刷指示端末１０ａ，１０ｂ，１０ｃの表示部１５に表示される用紙情報表示画面１５４の例を示す。用紙情報表示画面１５４のプロファイル欄１５５には、各用紙トレイに装填されている用紙に対応するプロファイルがプロファイルＤＢ２３４に存在するか否かが表示される。
【０１２４】
また、プリンターコントローラー２０において、ＣＰＵ２１とＲＩＰ処理プログラム２３１との協働により実現されるＲＩＰ機能部、ＣＰＵ２１と色変換処理プログラム２３２との協働により実現される色変換機能部、ＣＰＵ２１とプロファイル調整処理プログラム２３３との協働により実現されるプロファイル調整機能部については、専用のハードウェアにより実現されることとしてもよい。
【０１２５】
以上の説明では、各処理を実行するためのプログラムを格納したコンピューター読み取り可能な媒体として不揮発性の半導体メモリーやハードディスクを使用した例を開示したが、この例に限定されない。その他のコンピューター読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１２６】
１  画像形成システム
１０ａ，１０ｂ，１０ｃ  印刷指示端末
１１  ＣＰＵ
１２  ＲＡＭ
１３  記憶部
１４  操作部
１５  表示部
１６  ネットワークＩＦ部
２０  プリンターコントローラー
２１  ＣＰＵ
２２  ＲＡＭ
２３  記憶部
２４  操作部
２５  表示部
２６  ネットワークＩＦ部
２７  プリンターＩＦ部
２８  測色器ＩＦ部
３０  プリンター
４０  測色器
１３１  プリンタードライバープログラム
２３１  ＲＩＰ処理プログラム
２３２  色変換処理プログラム
２３３  プロファイル調整処理プログラム
２３４  プロファイルＤＢ
Ｎ  通信ネットワーク
【図１】
2013120946.tif 000003
【図２】
2013120946.tif 000004
【図３】
2013120946.tif 000005
【図４】
2013120946.tif 000006
【図５】
2013120946.tif 000007
【図６】
2013120946.tif 000008
【図７】
2013120946.tif 000009
【図８】
2013120946.tif 000010
【図９】
2013120946.tif 000011
【図１０】
2013120946.tif 000012
【図１１】
2013120946.tif 000013
【図１２】
2013120946.tif 000014
【図１３】
2013120946.tif 000015
【図１４】
2013120946.tif 000016
【図１５】
2013120946.tif 000017
【図１６】
2013120946.tif 000018